(57)【特許請求の範囲】
【請求項１】
動く歩道（１）またはエスカレータ用の欄干（１１）であって、
手すり（１２）と、前記手すり（１２）のためのガイド（１６）と、を備え、
前記手すり（１２）は、モータ駆動により前記ガイド上を長手方向軸に沿って動き、
前記手すり（１２）は、前記ガイド（１６）の直線状部分では、前記欄干（１１）の上側において、前記ガイド（１６）上で案内され、前記ガイド（１６）の円弧状部分では、前記ガイド（１６）の円弧状部分に沿って、前記欄干（１１）の、前記動く歩道（１）の側とは反対に位置する側で、且つ、９０°の角度で、長手方向軸の周りでねじられて前記ガイド（１６）上を案内されることを特徴とする欄干。
【請求項２】
前記手すり（１２）が、前記欄干（１１）の端部では、前記欄干の上側を円弧状下方に前記ガイド（１６）上で案内されることを特徴とする請求項１に記載の欄干。
【請求項３】
前記手すり（１２）が、Ｃ字形の断面を有することを特徴とする請求項１又は２のいずれか１項に記載の欄干。
【請求項４】
前記Ｃ字形の断面を有する中心骨（１３）が直線状であることを特徴とする請求項３に記載の欄干。
【請求項５】
前記Ｃ字形の断面を有する中心骨（１３）の内側において、前記手すり（１２）の長手方向に延びるリブ（１５）が配置されており、前記リブ（１５）が、前記ガイド（１６）の溝（１８）内で案内されることを特徴とする請求項４に記載の欄干。
【発明の詳細な説明】
【技術分野】
【０００１】
本発明は、動く歩道又はエスカレータ用の欄干（balustrade）に関する。欄干は、手すりと、手すりのためのガイドと、を備え、手すりは、モータ駆動によりガイド上を長手方向軸に沿って動く。
【背景技術】
【０００２】
直線的な部分上だけでなく、水平面内で屈曲した部分上をも走行するエスカレータや動く歩道が知られている。動く歩道は、水平面内だけに配置できるのではなく、昇降面にも配置することができ、昇降面と水平面との間に湾曲した移行部を設けることもできる。またエスカレータにおいても、昇降搬送面から水平面との間に移行部が形成されている。以下、移行面に関して参照した場合は、水平面と昇降面、さらに昇降面から水平面への移行部であるものと解されたい。また、動く歩道に関して参照した場合は、その搬送路において部分的に湾曲部や屈曲部を有する限りにおいて、水平部分をも含んでいるエスカレータにも同様に適用される。
【発明の概要】
【発明が解決しようとする課題】
【０００３】
手すりは、一般に、搬送面と平行な平面内において垂直面と比較してかなり高い剛性を有する。それゆえ、手すりは、欄干の端部では、通常円弧状に下方へ迂回され、当該方向や当該平面内ではこのようにして容易に曲げることができる一方、搬送面と平行な平面内においては、幾何学的形状や構造のため、手すりを曲げることは困難であるか完全に不可能である。このことが、動く歩道に関する問題となる。したがって、本発明の目的は、動く歩道用の手すりを有する欄干であって、動く歩道又はエスカレータの経路をたどって、円弧部の周りで、手すりが搬送面に平行な平面内で案内される欄干を提供することにある。
【課題を解決するための手段】
【０００４】
冒頭で述べた種類の手すりにおいて、当該目的は、手すりが、ガイドの円弧部に沿ってその長手方向軸の周りでねじられたガイド上で案内されるという事実によって達成される。
【０００５】
手すりは、その長手方向軸の周りでねじられているので、長手方向軸の周りでねじられていないときと比較して、輸送面と平行な面内における剛性が小さくなっている。これにより、手すりは、ガイドの円弧部により容易に追従でき、手すりをガイドの円弧部の周りで案内可能な位置である搬送面と平行な面において、手すりの剛性を減少させるために複雑な手段を講じる必要がない。
【０００６】
手すりは、少なくとも４５°、好ましくは約７５°、８０°、８５°又は特に９０°の角度で、その長手方向軸周りを回転するようにガイド上で案内されることが好ましい。このようにして、手すりは、同一平面内のガイドの円弧部で特に９０°の回転角度で曲げられ、欄干の端部で通常行われているように手すりは円弧状に下方へと案内される。これにより、従来の手すりを使用することが可能である。
【０００７】
本発明において、手すりは、欄干の上側のガイドの直線部において、ガイド上で案内され、ガイドの円弧部において、欄干の、円弧部が曲げられる側とは反対側に位置するガイドの円弧部で案内されることが好ましい。この場合には、手すりは、動く歩道の屈曲部において、欄干の外側、すなわち屈曲部の曲率中心から離れる側に配置されている。
【０００８】
あるいは、本発明において、手すりは、欄干の上側のガイドの直線部において、ガイド上で案内されてもよく、ガイドの円弧部において、欄干の、円弧部が曲げられる側の、ガイドの円弧部で案内されてもよい。このようにして、手すりは、動く歩道の屈曲部において、欄干の内側、すなわち屈曲部の曲率中心の方を向いた側に配置されている。
【０００９】
しかしながら、本発明において、手すりは、欄干の上面側のガイドの直線部上で案内されることが同様に可能であり、ガイドの円弧部上では、反対側に折り曲げられて、対応する反対側で案内されることができる。要求に応じて、手すりは、ある例では欄干の内側に配置され、また他の例では欄干の外側か上側に配置されている。
【００１０】
従来技術から知られているように、本発明において、手すりは、欄干の端部において、欄干の上部で、円弧状に下方へとガイド上で案内されることができる。しかしながら、上述したように、欄干の端部において、手すりは輸送面に対して平行な面で１８０°屈曲させることもでき、例えば反対方向に走行する動く歩道へと案内されることもできる。
【００１１】
本発明のさらなる特徴および利点は、添付の図面を参照すると共に、本発明の好適な例示的実施形態の以下の説明から明らかになる。
【図面の簡単な説明】
【００１２】
【図１】第１の実施形態に係る本発明の欄干を備えた動く歩道を示す。
【図２】第２の実施形態に係る本発明の欄干を備えた動く歩道を示す。
【図３】第１の位置にある手すりを示す。
【図４】第２の位置にある手すりを示す。
【図５】第３の位置にある手すりを示す。
【発明を実施するための形態】
【００１３】
図１には動く歩道１が示されている。図示の実施形態では、動く歩道１は、複数の屈曲部３、４、５、６の周りで、水平搬送面２を走行する。屈曲部３、４、５、６の間には、直線状搬送部７、８、９、１０がある。それ自体周知のように、動く歩道１は、互いに接続された複数の略三日月形状のプレートから構成されており、プレートは、屈曲部３、４、５、６の周りと、直線状搬送部７、８、９、１０に沿って、これらの両方で動くことができる。
【００１４】
動く歩道１に沿って、手すり１２を有する欄干１１が配置されている。欄干１１は動く歩道１の経路に追従する。動く歩道１で運ばれるとき、人は、動く歩道１と同じ速度で動く手すり１２をしっかり持つことができる。
【００１５】
図３〜５の例示的な実施形態に見られるように、手すり１２は、平坦な中心骨（spine）１３と、互いに向かって曲げられているアーム端部１４と、を備えた略Ｃ字状の断面を有する。中心骨１３には、手すり１２の長手方向に延びるリブ１５が設けられている。リブは、Ｃ字状断面の内側へと向けられている。この例示的な実施形態では、手すりは、溝１８を有する略Ｙ字状のガイド１６上を案内される。溝１８はアーム１７間に配置されており、手すり１２のリブ１５は溝１８内を案内される。ガイド１６のアーム１７は、手すり１２の前屈するアーム端部１４によって囲まれる。
【００１６】
図４に示すように、欄干３の上側に配置されたガイド１６は、上方に向けられることができる。このようにして、手すり１２はガイド１６の上側、ひいては欄干３の上側に配置されることとなる。本発明によれば、手すり１２のこのような配置は、直線状搬送部、例えば、図１及び図２による搬送部７、８、９、１０で好適に用いられる。
【００１７】
手すり１２は、輸送面１に対して平行に位置する平面１９内で、曲げるのが困難であるかまたは全く曲がらないため、屈曲部３、４、５、６と一緒に動くことは困難だろう。本発明によれば、手すり１２は、長手方向軸に沿ってねじれており、図３による例示的な実施形態では左に９０°、図５による例示的な実施形態では右に９０°ねじれている。図３、図５による位置では、手すり１２を平面１９内で容易に曲げることができるので、手すり１２は屈曲部３、４、５、６に追従することが可能である。手すり１２の形状に応じて、９０°ではなく９０°未満の角度、例えば４５°だけ、または７５°、８０°、８５°で手すり１２を回転させることが理論的には可能である。平面１９の方向における手すり１２の剛性は、図４に示した位置に比べて既に小さい。しかしながら、本発明においては、９０°ねじれた手すりが好ましい。
【００１８】
手すり１２は、例えば、図１の屈曲部４，６の領域において図３による位置や、図１の屈曲部３、５の領域において図５による位置をとることができる。図３による位置では、手すりが、いわば欄干１１の外側に、すなわち屈曲部４，６の曲率中心とは反対側に配置されている。図５による位置では、手すりは、屈曲部５に、いわば欄干１１の内側に、すなわち屈曲部５の曲率中心を向い側に、そして欄干の外側の屈曲部３の後ろに配置されている。少なくとも１つの屈曲部３、４、５、６において、手すり１２は好ましくは外側に配置される。これにより、例えば、Ｖベルトホイールを介して非常に容易にモータ駆動することができる。
【００１９】
図２において、従来技術からそれ自体周知であるように、欄干１１の端部（屈曲部４、６の領域内）において、手すり１２は、ガイド１６上で円弧状に下方へと案内される。これにより手すり１２は、ガイド１６上で、実質的に図４に示された欄干１１上の位置を維持する。直線状搬送部７、８、９、１０を出るときには、上述のように、同様に図４に示された位置をとることができると好ましく、または、前記搬送部へと入る事が好ましい。図１による実施形態と比較して、手すり１２は、図３の位置ではなく、図４および図５による位置のみをとることができる。
【００２０】
動く歩道１が、図１及び図２に示された例示的な実施形態のように水平面２のみを走行するだけではなく、水平面から傾斜面を通る場合には、その移行領域には屈曲部が存在する可能性がある。その場合、この移行領域や屈曲領域においては、手すり１２をその長手方向軸の周りに９０°ではなく９０°未満の角度だけ回転させると有利である。手すり１２の中心骨１３をこのように０°と９０°の間の角度で回転させることにより、手すり１２の最適な屈曲面を、搬送面の曲率、ひいてはガイド１６の曲率に適合させることができる。
【図１】
0005818035.tif 000002
【図２】
0005818035.tif 000003
【図３】
0005818035.tif 000004
【図４】
0005818035.tif 000005
【図５】
0005818035.tif 000006